(57)【要約】      （修正有）【課題】従来のカンヌキ錠に改良を加えることにより、扉を閉めると同時にカンヌキが自動的かつ確実に施錠するセルフロック型カンヌキ錠を提供する。【解決手段】カンヌキ錠の可動部であるレバ−に、左右に回る円形の把手を取り付けるとともに、扉を閉めた際自動的にレバ−を引き寄せて受け金具に嵌入させるためのバネを取り付けた。扉を開くときは、把手を約９０度右に回しながら手前に引くことにより、レバ−が受け金具から外れて扉は開かれ、反対に閉める場合は把手を同様右に回しながら扉を閉めたのち、把手から手を離すと同時に、バネの張力によりレバ−が引かれて受け金具に嵌入し施錠される。なお扉が閉まっているあいだは、カンヌキのレバ−は受け金具にしっかりと施錠されているので、突然の地震にも常に対応するため有効である。【選択図】図１
0003128458.tif 000002
【実用新案登録請求の範囲】
【請求項１】
本考案は、食器用戸棚の扉に用いるカンヌキ錠のレバ−部と同取り付け板の間に伸縮バネを取り付け扉を閉めた際に自動的に錠が掛かるようにしたことを特徴とするセルフロック型カンヌキ錠である。
【請求項２】
このカンヌキは、両開き扉の開閉と施錠を容易にするため、カンヌキのレバ−部と一方のレバ−受け金具側の双方に円形状の把手を設けたことを特徴とするセルフロック型カンヌキ錠である。
【請求項３】
レバ−部に取り付けた把手は、空回りしないようレバ−に固定したことを特徴とするセルフロック型カンヌキ錠である。
【請求項４】
レバ−は直線状とし、地震のショックにより受け金具からの外れることのないよう受け金具側把手の、取り付け螺子軸にあたる部分に、凹型状の切り込み穴を設けこれに収まるようにしたことを特徴とする、セルフロック型カンヌキ錠である。
【請求項５】
レバ−受け金具は、レバ−先端に設けた螺子による突起の動きに沿ってスム−スにしっかりと施錠されるよう円弧型にしたことを特徴とするセルフロック型カンヌキ錠である。
【請求項６】
カンヌキの扉への取り付ける際し調整板によりレバ−部と受け金具の高さを調整して取り付けを容易にするうにしたことを特徴とするセルフロック型カンヌキ錠である。
【考案の詳細な説明】
【技術分野】
【０００１】本考案は、食器用戸棚の施錠方法に関するものである。
【背景技術】
【０００２】一般に食器用戸棚には手により容易に開閉できる観音開き扉が用いられている。
【考案が解決しようとする課題】
【０００３】地震時にはその振動とショックにより扉が開き、食器類が飛び出したり破損したりの被害をうけ、安全面からも危険なことになる、また扉の開閉と施錠が別動作のとなる方式では錠を掛け忘れる恐れがあり、この場合折角取り付けてあっても、肝心の災害時に用をなさないことになる。
【課題を解決するための手段】
【０００４】本考案は、従来のカンヌキ錠に改良を加えることにより、扉を閉めると同時にカンヌキが自動的かつ確実に施錠する方法である。
【考案を実施するための最良の形態】
【０００５】即ち、カンヌキ錠のレバ−に、扉の開閉に用いる把手を取り付けるとともに、レバ−とレバ−取り付け金具の間に伸縮用バネを取り付けた。これにより扉を開く時には、把手を約９０度右に回しながら手前に引くことにより、レバ−が受け金具から外れ扉が開かれる。
一方閉める場合は同じく把手を約９０度右に回しながら扉を閉めた後、把手から手を離すと同時にバネの張力により、レバ−が引かれ受け金具に嵌入、施錠される。なお施錠後のレバ−はバネにより受け金具内に収められているため振動によって外れる恐れは防止されるが、さらにこれに加えてレバ−に設けた切り込み穴が把手のボ−ルト軸に収まるようにし、かつレバ−先端に螺子による突起を設けたことにより一層しっかりとした施錠がはかれるようにした。
【実施例】
【０００６】以下、添付図面に従って一実施例を説明する。【０００７】先ず図１・図２に示すようにカンヌキ錠のレバ−１に把手３ををよびレバ−受け金具２に把手４を取り付けるとともに、レバ−とレバ−取り付け板７の間に伸縮型のバネ５を取り付ける。またレバ−先端には施錠の確実をはかるため螺子による突起５を設けるとともに更にレバ−には凹型の切り込み穴９をあけ同レバ−が受け金具に嵌入した際に把手取り付け用螺子軸４に収まるるようにした。【０００８】また一方の扉には図５のようにレバ−施錠用の受け金具２、ならびに取り付け板８を取り付ける、なお受け金具２はレバ−先端に設けた突起物６の動きにそってスム−スにしっかりと施錠される様カ−ブを付けた形状とした。また受け金具に設ける扉開閉用の把手４はその取り付け用ボ−ルト軸がレバ−の切り込み穴９に収まるような位置に取りけることにした。
【考案の効果】
【０００９】１，扉を閉めた際、カンヌキが自動的に施錠されるので、錠の掛け忘れを防げる。
２，扉が閉まっている間は、伸縮バネ−やレバ−先端の突起物ならびにレバ−の切り込み穴により常にしっかりとカンヌキが施錠されているので不意の地震でも扉が開くのを防止できる。
３，扉の開閉は把手のみの操作で容易であり、観音両開き扉用として適している。
４，構造が簡単、低コストである。
【図面の簡単な説明】
【００１０】
【図１】施錠中のセルフロック型カンヌキ錠の正面略図である。
【図２】解錠された状態のセルフロック型カンヌキ錠の側面略図である。
【図３】施錠中のレバ−の突起と切り込み穴の説明図である。
【図４】セルフロック型カンヌキ錠の正面略図である。
【図５】セルフロック型カンヌキ錠の側面略図である。
【符号の説明】
【００１１】１，レバ−
２，レバ−受け金具
３，把手（レバ−側）
４，把手（受け金具側）
５，伸縮形バネ
６，突起螺子
７，レバ−取り付け板
８，受け金具取り付け板
９、レバ−切り込み穴
【図１】
0003128458.tif 000003
【図２】
0003128458.tif 000004
【図３】
0003128458.tif 000005
【図４】
0003128458.tif 000006
【図５】
0003128458.tif 000007
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
本考案は、食器用の扉等に用いるカンヌキ錠のレバ−部と同取付け板の間に伸縮バネを取付け扉を閉めた際に自動的に錠が掛かるようにしたことを特徴とするセルフロック型カンヌキ錠である。
【請求項２】
このカンヌキは両開き扉の開閉と施錠を容易にするため、前記カンヌキ錠のレバ−部と一方のレバ−受け金具の双方に円形状の把手を設けたことを特徴とする、請求項１記載のセルフロック型カンヌキ錠である。
【請求項３】
前記レバ−部に取付けた円形状の把手は、空回りしないようレバ−に固定したことを特徴とする請求項２記載のセルフロック型カンヌキ錠である。
【請求項４】
前記レバ−は、地震のショックにより受け金具から外れることのないよう受け金具側把手の、取り付け螺子軸にあたる部分に、凹型状の切り込み穴を設け、これに収まるようにしたことを特徴とする、請求項又は請求項３記載のセルフロック型カンヌキ錠である。
【請求項５】
レバ−受け金具は、レバ−先端をスム−スにしっかりと施錠されるよう円弧型にしたことを特徴とする、請求項２ないし請求項４のいずれかに記載のセルフロック型カンヌキ錠である。
【手続補正書】
【提出日】平成18年10月4日(2006.10.4)
【手続補正１】
【補正対象書類名】実用新案登録請求の範囲
【補正対象項目名】全文
【補正方法】変更
【補正の内容】
【実用新案登録請求の範囲】
【請求項１】
本考案は、食器用の扉等に用いるカンヌキ錠のレバ−部と同取付け板の間に伸縮バネを取付け扉を閉めた際に自動的に錠が掛かるようにしたもので、両開き扉の開閉と施錠を容易にするため、レバ−部と一方のレバ−受け金具の双方に円形状の把手を設けたものであるが、これに加え前記レバ−が地震のショックにより受け金具から外れるのを防止するため、レバ−受け金具側の把手取付け螺子軸を利用し、レバ−についてその刃が螺子軸に接する部分に凹型状の切り込み穴を設け、この穴が把手取付け螺子軸に収まるようにし、しっかりと施錠がされるようにしたことを特徴とする、セルフロック型カンヌキ錠。
【請求項２】
レバ−受け金具は、レバ−が同レバ−の先端に設けた突起螺子の動きに沿ってスム−ズにかつしっかりと施錠されるようその外縁を円弧形にしたことを特徴とする、請求項１に記載のセルフロック型カンヌキ錠。
【手続補正２】
【補正対象書類名】明細書
【補正対象項目名】全文
【補正方法】変更
【補正の内容】
【考案の詳細な説明】
【技術分野】
【０００１】本考案は、食器用戸棚のセルフロック型カンヌキ錠に関するものである。
【背景技術】
【０００２】一般に食器用戸棚には手により容易に開閉できる観音開き扉が用いられている。
【考案が解決しようとする課題】
【０００３】地震時にはその振動とショックにより扉が開き、食器類が飛び出したり破損したりの被害を受け、安全面からも危険なことになる。また扉の開閉と施錠が別動作となる方式では錠を掛け忘れる恐れがあり、こ場合折角取り付けてあっても、肝心の災害時に用をなさないこととなる。
【課題を解決するための手段】
【０００４】本考案は、従来のカンヌキ錠に改良を加えることにより、扉を閉めると同時にカンヌキが自動的かつ確実に施錠するセルフロック型カンヌキ錠である。
【考案を実施するための最良の形態】
【０００５】即ち、カンヌキ錠のレバ−（１）に扉の開閉に用いる把手（３）を取り付けるとともに、レバ−（１）とレバ−取付け板（７）の間に伸縮バネ（５）を取り付けた。これにより扉を開く時には、把手（３）を約９０度右に回しながら手前に引くことによりレバ−（１）がレバ−受け金具（２）から外れ扉が開かれる。
一方閉める場合は同じく把手（３）を約９０度右に回しながら扉を閉めた後、把手（３）から手を離すと同時に伸縮バネ（５）の張力により、レバ−（１）が引かれレバ−受け金具（２）に嵌入し施錠される。
なお、施錠後のレバ−（１）は伸縮バネ（５）によりレバ−受け金具（２）内に収められているいるため振動によって外れる恐れは防止されるが、さらにこれに加えてレバ−（１）に設けた切り込み穴（９）が把手（４）のボ−ルト螺子軸４ａ）に収まるようにし、かつレバ−（１）先端に突起螺子を設けたことにより、一層しっかりとした施錠がはかれるようにした。
【実施例】
【０００６】以下、添付図面に従って一実施例を説明する。【０００７】まず図１から図５に示すようにカンヌキ錠のレバ−（１）に把手（３）およびレバ−受け金具（２）に把手（４）を取り付けるとともに、レバ−（１）とレバ−取付け板（７）の間に伸縮バネ（５）を取り付ける。
またレバ−（１）先端には施錠の確実をはかるため螺子による突起螺子（６）を設けるとともに、更にレバ−（１）には凹型の切り込み穴（９）を明けることにより同レバ−（１）がレバ−受け金具（２）に嵌入したさいに把手取り付け用ボ−ルト（４ａ）に収まるようにした。【０００８】また一方の扉には図５のように施錠用のレバ−受け金具（２）、ならびにレバ−受け金具取付け板（８）を取り付ける。なおレバ−受け金具（２）はレバ−（１）先端に設けた突起螺子（６）との動きに沿ってスム−スにしっかりと施錠される様カ−ブ（２ａ，２ｂ）を付けた形状（図１ないし図３に示した先端部の外縁を円弧形にしたカ−ブ（２ａ）と図５に示した前方へのカ−ブ（２ｂ））とした。
またレバ−受け金具（２）に設ける扉開閉用の把手（４）はその取り付け用ボ−ルト軸（４ａ）がレバ−切り込み穴（９）に収まるような位置に取付けることにした。
【考案の効果】
【０００９】１，扉を閉めた際、カンヌキが自動的に施錠されるので、錠の掛け忘れを防止できる。
２，扉が閉まっている間は、伸縮バネやレバ−先端の突起物ならびにレバ−の切り込み穴により常にしっかりと施錠されているので、不意の地震時でも扉が開くのを防止できる。
３，扉の開閉は把手のみの操作で容易であり、観音開き扉用として適している。
４，構造が簡単、低コストである。
【図面の簡単な説明】
【００１０】
【図１】施錠前のセルフロック型カンヌキ錠の正面略図である。
【図２】施錠された状態のセルフロック型カンヌキ錠の正面略図である。
【図３】施錠中のレバ−の突起と切り込み穴の説明図（把手４を外した状態）である。
【図４】図２のＢ−Ｂの断面略図である。
【図５】図２のＡ−Ａの断面略図である。
【符号の説明】
【００１１】１，レバ−
２，レバ−受け金具２ａ，２ｂカ−ブ
３，把手（レバ−側）
４，把手（受け金具側）
４ａ，ボ−ルト軸
５，伸縮バネ
６，突起螺子
７，レバ−取付け板
８，受け金具取付け板
９，レバ−切り込み穴
【手続補正３】
【補正対象書類名】図面
【補正対象項目名】全図
【補正方法】変更
【補正の内容】
【図１】
0003128458.tif 000008
【図２】
0003128458.tif 000009
【図３】
0003128458.tif 000010
【図４】
0003128458.tif 000011
【図５】
0003128458.tif 000012